(57)【要約】【課題】連続配置されたリソースおよび非連続配置されたリソースを柔軟に割り当てることができる基地局装置、移動局装置、通信システム及び通信方法を提供する。【解決手段】物理下りリンク制御チャネルにおける第１の領域内のリソースに、周波数方向に連続して配置された上りリンクリソースを指定するスケジューリング情報を含む第１のフォーマットの制御情報を配置し、前記物理下りリンク制御チャネルにおける第２の領域内のリソースに前記第１のフォーマットと同じビット数を有し、周波数方向に連続して配置された上りリンクリソースと連続しないで配置された上りリンクリソースのいずれかを指定するスケジューリング情報を含む第２のフォーマットの制御情報を配置する。【選択図】図３
2011166650.tif 000002
【特許請求の範囲】
【請求項１】
物理下りリンク制御チャネルにおける第１の領域内のリソースに第１のフォーマットの制御情報を配置し、前記物理下りリンク制御チャネルにおける第２の領域内のリソースに前記第１のフォーマットと同じビット数を有する第２のフォーマットの制御情報を配置することを特徴とする基地局装置。
【請求項２】
前記第１のフォーマットの制御情報は、周波数方向に連続して配置された上りリンクリソースを指定するスケジューリング情報を含み、
前記第２のフォーマットの制御情報は、周波数方向に連続して配置された上りリンクリソースと連続しないで配置された上りリンクリソースのいずれかを指定するスケジューリング情報を含むことを特徴とする請求項１に記載の基地局装置。
【請求項３】
前記第２のフォーマットの制御情報は、前記スケジューリング情報が周波数方向に連続して配置された上りリンクリソースと連続しないで配置された上りリンクリソースのいずれを指定するかを示す非連続配置フラグ情報を含むことを特徴とする請求項２に記載の基地局装置。
【請求項４】
前記第２のフォーマットの制御情報は、前記第１のフォーマットの制御情報に含まれる所定情報を含まず、前記第１のフォーマットにおける前記所定情報を配置する位置に、前記非連続配置フラグ情報を配置することを特徴とする請求項３に記載の基地局装置。
【請求項５】
物理下りリンク制御チャネルにおける第１の領域内のリソースの受信データを復号した場合、前記復号した受信データを第１のフォーマットの制御情報と判定し、前記物理下りリンク制御チャネルにおける第２の領域内のリソースの受信データを復号した場合、前記復号した受信データを前記第１のフォーマットと同じビット数を有する第２のフォーマットの制御情報と判定することを特徴とする移動局装置。
【請求項６】
前記第１のフォーマットの制御情報から、周波数方向に連続して配置された上りリンクリソースの割り当てを取得し、
前記第２のフォーマットの制御情報から、周波数方向に連続して配置された上りリンクリソースと連続しないで配置された上りリンクリソースのいずれかの割り当てを取得することを特徴とする請求項５に記載の移動局装置。
【請求項７】
前記第２のフォーマットの制御情報から、前記スケジューリング情報が周波数方向に連続して配置された上りリンクリソースと連続しないで配置された上りリンクリソースのいずれを指定するかを示す非連続配置フラグ情報を抽出し、
前記非連続配置フラグ情報が連続して配置された上りリンクリソースを示す場合、前記第２のフォーマットの制御情報から周波数方向に連続して配置された上りリンクリソースの割り当てを取得し、
前記非連続配置フラグ情報が連続しないで配置された上りリンクリソースを示す場合、前記第２のフォーマットの制御情報から周波数方向に連続しないで配置された上りリンクリソースの割り当てを取得することを特徴とする請求項６に記載の移動局装置。
【請求項８】
前記第２のフォーマットの制御情報から前記非連続配置フラグ情報を抽出するに際し、前記第１のフォーマットにおける前記非連続配置フラグ情報とは異なる前記所定情報を配置する位置と同じ位置から、前記非連続配置フラグ情報を抽出することを特徴とする請求項７に記載の移動局装置。
【請求項９】
基地局装置と移動局装置との間で通信を行う通信システムであって、
前記基地局装置は、
物理下りリンク制御チャネルにおける第１の領域内のリソースに第１のフォーマットの制御情報を配置し、前記物理下りリンク制御チャネルにおける第２の領域内のリソースに前記第１のフォーマットと同じビット数を有する第２のフォーマットの制御情報を配置し、
前記移動局装置は、
前記第１の領域内のリソースの受信データを復号した場合、前記復号した受信データを前記第１のフォーマットの制御情報と判定し、前記第２の領域内のリソースの受信データを復号した場合、前記第２のフォーマットの制御情報と判定することを特徴とする通信システム。
【請求項１０】
移動局装置と通信を行う基地局装置における通信方法であって、
物理下りリンク制御チャネルにおける第１の領域内のリソースに第１のフォーマットの制御情報を配置し、前記物理下りリンク制御チャネルにおける第２の領域内のリソースに前記第１のフォーマットと同じビット数を有する第２のフォーマットの制御情報を配置することを特徴とする通信方法。
【請求項１１】
基地局装置と通信を行う移動局装置における通信方法であって、
物理下りリンク制御チャネルにおける第１の領域内のリソースの受信データを復号した場合、前記復号した受信データを第１のフォーマットの制御情報と判定し、前記物理下りリンク制御チャネルにおける第２の領域内のリソースの受信データを復号した場合、前記復号した受信データを前記第１のフォーマットと同じビット数を有する第２のフォーマットの制御情報と判定することを特徴とする通信方法。
【発明の詳細な説明】
【技術分野】
【０００１】
本発明は、基地局装置、移動局装置、通信システムおよび通信方法に関する。
【背景技術】
【０００２】
セルラー移動通信の無線アクセス方式及び無線ネットワークの進化（以下、「Ｌｏｎｇ  Ｔｅｒｍ  Ｅｖｏｌｕｔｉｏｎ（ＬＴＥ）、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＥＵＴＲＡ）」と称する。）、及び、より広帯域な周波数を利用して、さらに高速なデータの通信を実現する無線アクセス方式及び無線ネットワーク（以下、「Ｌｏｎｇ  Ｔｅｒｍ  Ｅｖｏｌｕｔｉｏｎ−Ａｄｖａｎｃｅｄ（ＬＴＥ−Ａ）、または、「Ａｄｖａｎｃｅｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ａ−ＥＵＴＲＡ）」と称する。）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ；３ＧＰＰ）において検討されている。
【０００３】
ＬＴＥでは、下りリンク（基地局装置から移動局装置への無線通信）として、マルチキャリア送信である直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）方式が用いられる。また、上りリンク（移動局装置から基地局装置への無線通信）として、シングルキャリア送信であるＳＣ−ＦＤＭＡ（Ｓｉｎｇｌｅ−Ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）方式のシングルキャリア通信方式が用いられる。
【０００４】
図１４は、ＬＴＥにおける下りリンクの無線フレーム構成を示している。下りリンクでは、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理下りリンク共用チャネル（Ｐｈｙｓｉｃａｌ  Ｄｏｗｎｌｉｎｋ  Ｓｈａｒｅｄ  Ｃｈａｎｎｅｌ；ＰＤＳＣＨ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。物理下りリンク制御チャネルは、移動局識別子、下りリンク共用チャネルのスケジューリング情報、上りリンク共用チャネルのスケジューリング情報、変調方式、符号化率、再送パラメータなどの下りリンク制御情報が送信される物理チャネルである。
【０００５】
図１５は、ＬＴＥにおける上りリンクの無線フレーム構成を示している。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）などが割り当てられる。また、ＰＵＳＣＨやＰＵＣＣＨの一部に、上りリンクパイロット信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。
【０００６】
図１６は、ＬＴＥにおける上りリンク無線通信の概略図である。基地局装置１６０１は移動局装置１６０２からの上りリンク送信信号１６０３を受信するに際し、移動局装置１６０２が上りリンク送信信号１６０３をいずれのＲＢで送信するかを示すスケジューリング情報（ＲＢ  ａｓｓｉｇｎｍｅｎｔ情報、ＲＢ割り当て情報）を含む下りリンク制御情報（Ｄｏｗｎｌｉｎｋ  Ｃｏｎｔｒｏｌ  Ｉｎｆｏｒｍａｔｉｏｎ；ＤＣＩ）１６０４を移動局装置１６０２に通知する。ＬＴＥでは、上りリンクのスケジューリング情報は周波数方向に連続に配置されたＲＢを示しており、各移動局装置１６０２は周波数方向に連続に配置されたＲＢを用いて上りリンク送信信号１６０３を送信する。
【０００７】
図１７は、ＬＴＥにおける下りリンク制御情報フォーマット（ＤＣＩ  ｆｏｒｍａｔ：  Ｄｏｗｎｌｉｎｋ  Ｃｏｎｔｒｏｌ  Ｉｎｆｏｒｍａｔｉｏｎ  Ｆｏｒｍａｔ）の構成の一例を示している。非特許文献１に記載されているように、上りリンクのスケジューリング情報などの上りリンク関連情報を含む下りリンク制御情報フォーマットであるＦｏｒｍａｔ０と下りリンク関連情報を含む下りリンク制御情報フォーマットであるＦｏｒｍａｔ１Ａは同じビット数で構成されている。上りリンク関連情報を含むＦｏｒｍａｔ  ０の各ビットフィールドのビット数の合計と下りリンク関連情報を含むＦｏｒｍａｔ１Ａの各ビットフィールドのビット数の合計が異なる場合、ビット数の合計が多い下りリンク制御情報フォーマットにビット数の合計を合わせるようにビット数の合計が少ない下りリンク制御情報フォーマットに０を示すビットが付加される（０を示すビットを付加することをゼロパディングと称す）。
【０００８】
Ｆｏｒｍａｔ０およびＦｏｒｍａｔ１Ａの先頭のビットフィールドは、ビット数の合計が等しいＦｏｒｍａｔ０とＦｏｒｍａｔ１Ａとを識別するためのフラグ（Ｆｌａｇ  ｆｏｒ  ｆｏｒｍａｔ０／ｆｏｒｍａｔ１Ａ）である。移動局装置は、先ずＦｏｒｍａｔ０とＦｏｒｍａｔ１Ａとを識別するためのフラグを確認し、以降のビットフィールド構成を認識する。Ｆｏｒｍａｔ０は、さらにホッピングフラグ（Ｈｏｐｐｉｎｇ  ｆｌａｇ）、Ｒｅｓｏｕｒｃｅ  ｂｌｏｃｋ  ａｓｓｉｇｎｍｅｎｔなどのビットフィールドを含む。Ｆｏｒｍａｔ０のＲｅｓｏｕｒｃｅ  ｂｌｏｃｋ  ａｓｓｉｇｎｍｅｎｔはＰＵＳＣＨの送信に用いられる周波数方向に連続な１個以上のＲＢを示すビットフィールドであり、ｃｅｉｌ（ｌｏｇ２（ＮＵＬＲＢ(ＮＵＬＲＢ＋１)／２））のビット数から構成される。ここで、ｃｅｉｌ（）は天井関数、ｌｏｇ２（）は底が２の対数を示し、ＮＵＬＲＢは上りリンクのシステム帯域幅に含まれるＲＢ数である。
【０００９】
図１８は、ホッピングフラグがＯＦＦの場合の移動局装置に割り当てられるＲＢの一例を示している。基地局装置は、Ｒｅｓｏｕｒｃｅ  ｂｌｏｃｋ  ａｓｓｉｇｎｍｅｎｔフィールドのｃｅｉｌ（ｌｏｇ２（ＮＵＬＲＢ(ＮＵＬＲＢ＋１)／２））ビットを用いて、移動局装置に割り当てたＲＢのうち周波数が最も低いＲＢの位置と、そのＲＢから周波数の高いほうへ連続して割り当てたＲＢの数とを指定する。各スロット内では移動局装置に割り当てられるＲＢは周波数方向に連続配置のＲＢからなり、ホッピングフラグがＯＦＦの場合、上りリンクのサブフレーム内の２つのスロットで周波数方向に割り当てられるＲＢの割り当ては共通の割り当てとなる。
【００１０】
図１９は、ホッピングフラグがＯＮの場合の移動局装置に割り当てられるＲＢの一例を示している。基地局装置は、Ｒｅｓｏｕｒｃｅ  ｂｌｏｃｋ  ａｓｓｉｇｎｍｅｎｔフィールドのｃｅｉｌ（ｌｏｇ２（ＮＵＬＲＢ(ＮＵＬＲＢ＋１)／２））ビットを用いて、サブフレーム内の２つのスロットで周波数方向に異なる割り当てを指定するが、各スロット内では移動局装置に割り当てられるＲＢは周波数方向に連続配置のＲＢからなる。なお、ホッピングフラグがＯＦＦのＰＵＳＣＨを物理ＨＡＲＱインディケータチャネル（Ｐｈｉｓｉｃａｌ  ＨＡＲＱ  Ｉｎｄｉｃａｔｏｒ  Ｃｈａｎｎｅｌ；ＰＨＩＣＨ）で再送させる場合、初期送信と同じＲＢでＰＵＳＣＨの再送をし、ホッピングフラグがＯＮのＰＵＳＣＨを物理ＨＡＲＱインディケータチャネル（Ｐｈｉｓｉｃａｌ  ＨＡＲＱ  Ｉｎｄｉｃａｔｏｒ  Ｃｈａｎｎｅｌ；ＰＨＩＣＨ）で再送させる場合、初期送信と異なるＲＢでＰＵＳＣＨの再送をする。
【００１１】
なお、物理ＨＡＲＱインディケータチャネルは、基地局装置がＰＵＳＣＨに含まれる信号を復号して得たデータが誤っているか、誤っていないかを移動局装置に対して示す下りリンクの物理チャネルである。なお、ホッピングフラグがＯＮの場合に、スロット間ではホッピングをせずにサブフレーム間でのみホッピングするようにしてもよい。
【先行技術文献】
【非特許文献】
【００１２】
【非特許文献１】"３ＧＰＰ  ＴＳ３６．２１３  ｖ８．６．０  （２００９−０３）"，Ｍａｒｃｈ  １７，２００９．
【発明の概要】
【発明が解決しようとする課題】
【００１３】
しかしながら、従来の技術では、連続配置のリソースしか割り当てることができず、周波数利用効率が低下してしまうという問題があった。
【００１４】
本発明は上記の点に鑑みてなされたものであり、その目的は、連続配置のリソースおよび非連続配置のリソースを柔軟に割り当てることができる基地局装置、移動局装置、通信システム及び通信方法を提供することにある。
【課題を解決するための手段】
【００１５】
（１）本発明は上記の課題を解決するためになされたものであり、本発明の一態様による基地局装置は、物理下りリンク制御チャネルにおける第１の領域内のリソースに第１のフォーマットの制御情報を配置し、前記物理下りリンク制御チャネルにおける第２の領域内のリソースに前記第１のフォーマットと同じビット数を有する第２のフォーマットの制御情報を配置することを特徴とする。
【００１６】
（２）また、本発明の一態様による基地局装置は上記の基地局装置であって、前記第１のフォーマットの制御情報は、周波数方向に連続して配置された上りリンクリソースを指定するスケジューリング情報を含み、前記第２のフォーマットの制御情報は、周波数方向に連続して配置された上りリンクリソースと連続しないで配置された上りリンクリソースのいずれかを指定するスケジューリング情報を含むことを特徴とする。
【００１７】
（３）また、本発明の一態様による基地局装置は上記の基地局装置であって、前記第２のフォーマットの制御情報は、前記スケジューリング情報が周波数方向に連続して配置された上りリンクリソースと連続しないで配置された上りリンクリソースのいずれを指定するかを示す非連続配置フラグ情報を含むことを特徴とする。
【００１８】
（４）また、本発明の一態様による基地局装置は上記の基地局装置であって、前記第２のフォーマットの制御情報は、前記第１のフォーマットの制御情報に含まれる所定情報を含まず、前記第１のフォーマットにおける前記所定情報を配置する位置に、前記非連続配置フラグ情報を配置することを特徴とする。
【００１９】
（５）また、本発明の一態様による移動局装置は、物理下りリンク制御チャネルにおける第１の領域内のリソースの受信データを復号した場合、前記復号した受信データを第１のフォーマットの制御情報と判定し、前記物理下りリンク制御チャネルにおける第２の領域内のリソースの受信データを復号した場合、前記復号した受信データを前記第１のフォーマットと同じビット数を有する第２のフォーマットの制御情報と判定することを特徴とする。
【００２０】
（６）また、本発明の一態様による移動局装置は上記の移動局装置であって、前記第１のフォーマットの制御情報から、周波数方向に連続して配置された上りリンクリソースの割り当てを取得し、前記第２のフォーマットの制御情報から、周波数方向に連続して配置された上りリンクリソースと連続しないで配置された上りリンクリソースのいずれかの割り当てを取得することを特徴とする。
【００２１】
（７）また、本発明の一態様による移動局装置は上記の移動局装置であって、前記第２のフォーマットの制御情報から、前記スケジューリング情報が周波数方向に連続して配置された上りリンクリソースと連続しないで配置された上りリンクリソースのいずれを指定するかを示す非連続配置フラグ情報を抽出し、前記非連続配置フラグ情報が連続して配置された上りリンクリソースを示す場合、前記第２のフォーマットの制御情報から周波数方向に連続して配置された上りリンクリソースの割り当てを取得し、前記非連続配置フラグ情報が連続しないで配置された上りリンクリソースを示す場合、前記第２のフォーマットの制御情報から周波数方向に連続しないで配置された上りリンクリソースの割り当てを取得することを特徴とする。
【００２２】
（８）また、本発明の一態様による移動局装置は上記の移動局装置であって、前記第２のフォーマットの制御情報から前記非連続配置フラグ情報を抽出するに際し、前記第１のフォーマットにおける前記非連続配置フラグ情報とは異なる前記所定情報を配置する位置と同じ位置から、前記非連続配置フラグ情報を抽出することを特徴とする。
【００２３】
（９）また、本発明の一態様による通信システムは、基地局装置と移動局装置との間で通信を行う通信システムであって、前記基地局装置は、物理下りリンク制御チャネルにおける第１の領域内のリソースに第１のフォーマットの制御情報を配置し、前記物理下りリンク制御チャネルにおける第２の領域内のリソースに前記第１のフォーマットと同じビット数を有する第２のフォーマットの制御情報を配置し、前記移動局装置は、前記第１の領域内のリソースの受信データを復号した場合、前記復号した受信データを前記第１のフォーマットの制御情報と判定し、前記第２の領域内のリソースの受信データを復号した場合、前記第２のフォーマットの制御情報と判定することを特徴とする。
【００２４】
（１０）また、本発明の一態様による通信方法は、移動局装置と通信を行う基地局装置における通信方法であって、  物理下りリンク制御チャネルにおける第１の領域内のリソースに第１のフォーマットの制御情報を配置し、前記物理下りリンク制御チャネルにおける第２の領域内のリソースに前記第１のフォーマットと同じビット数を有する第２のフォーマットの制御情報を配置することを特徴とする。
【００２５】
（１１）また、本発明の一態様による通信方法は、基地局装置と通信を行う移動局装置における通信方法であって、物理下りリンク制御チャネルにおける第１の領域内のリソースの受信データを復号した場合、前記復号した受信データを第１のフォーマットの制御情報と判定し、前記物理下りリンク制御チャネルにおける第２の領域内のリソースの受信データを復号した場合、前記復号した受信データを前記第１のフォーマットと同じビット数を有する第２のフォーマットの制御情報と判定することを特徴とする
【発明の効果】
【００２６】
この発明によれば、連続配置のリソースおよび非連続配置のリソースを柔軟に割り当てることができる。
【図面の簡単な説明】
【００２７】
【図１】本発明の第１の実施形態に係る上りリンク無線通信の概略を示した図である。
【図２】同実施形態に係るリソース割り当ての一例を示した図である。
【図３】同実施形態に係る制御情報フォーマットの一例を示した図である。
【図４】同実施形態に係る非連続配置のリソース割り当ての一例を示した図である。
【図５】同実施形態に係る非連続配置のリソース割り当ての他の一例を示した図である。
【図６】同実施形態に係る検索領域の一例を示した図である。
【図７】同実施形態に係る検索領域の他の一例を示した図である。
【図８】Ｈｏｐｐｉｎｇ  ｆｌａｇとＮｏｎ−ｃｏｎｔｉｇｕｏｕｓ  ｆｌａｇのビットの値と、その値が示す状態の対応の一例を示した図である。
【図９】同実施形態に係る検索領域とＨｏｐｐｉｎｇ  ｆｌａｇおよびＮｏｎ−ｃｏｎｔｉｇｕｏｕｓ  ｆｌａｇの組み合わせに対するホッピングとＲＢ割り当ての設定を示した図である。
【図１０】本発明の第２の実施形態に係る制御情報フォーマットの一例を示した図である。
【図１１】本発明の第３の実施形態に係る制御情報フォーマットの一例を示した図である。
【図１２】本発明の第４の実施形態に係る基地局装置のブロック構成の一例を示した図である。
【図１３】同実施形態に係る移動局装置のブロック構成の一例を示した図である。
【図１４】下りリンクの無線フレーム構成を示した図である。
【図１５】上りリンクの無線フレーム構成を示した図である。
【図１６】上りリンク無線通信の概略を示した図である。
【図１７】下りリンク制御情報フォーマットの構成の一例を示した図である。
【図１８】移動局装置に割り当てられるＲＢの一例を示した図である。
【図１９】移動局装置に割り当てられるＲＢの一例を示した図である。
【発明を実施するための形態】
【００２８】
（第１の実施形態）
以下、図面を参照して、本発明の第１の実施形態について説明する。
【００２９】
図１は、本実施形態に係る上りリンク無線通信の概略図である。基地局装置（ｅＮｏｄｅＢ、ｅＮＢ、下りリンク送信装置、上りリンク受信装置、セル）１０１は移動局装置（ＵＥ：Ｕｓｅｒ  Ｅｑｕｉｐｍｅｎｔ、下りリンク受信装置、上りリンク送信装置、端末装置）１０２からの上りリンク送信信号１０４を受信するに際し、移動局装置１０２が上りリンク送信信号（ＳＣ−ＦＤＭＡ信号）１０３をいずれのＲＢで送信するかを示す上りリンクのスケジューリング情報を含む下りリンク制御情報（Ｄｏｗｎｌｉｎｋ  Ｃｏｎｔｒｏｌ  Ｉｎｆｏｒｍａｔｉｏｎ；ＤＣＩ）１０６を移動局装置１０２に通知する。移動局装置１０２は、物理上りリンク共用チャネルにおいて連続配置のリソース割り当てのみをサポートする移動局装置であるか、または連続配置のリソース割り当てのみが設定可能なモードの移動局装置であり、移動局装置１０２に対して基地局装置１０１より通知される下りリンク制御情報１０６は周波数方向に連続に配置されたＲＢを示すスケジューリング情報を含む。
【００３０】
一方、移動局装置１０３は、物理上りリンク共用チャネルにおいて連続配置のリソース割り当てと非連続配置のリソース割り当ての両方をサポートする移動局装置であるか、または連続配置のリソース割り当てと非連続配置のリソース割り当ての両方が設定可能なモードの移動局装置である。基地局装置１０１は移動局装置１０３からの上りリンク送信信号（ＳＣ−ＦＤＭＡ信号あるいはＣｌｕｓｔｅｒｅｄ  ＤＦＴ（Ｄｉｓｃｒｅｔｅ  Ｆｏｕｒｉｅｒ  Ｔｒａｎｓｆｏｒｍａｔｉｏｎ）−ｐｒｅｃｏｄｅｄ−ＯＦＤＭ信号）１０５を受信するに際し、移動局装置１０３が上りリンク送信信号１０５をいずれのＲＢで送信するかを示す上りリンクのスケジューリング情報を含む下りリンク制御情報１０７を移動局装置１０３に通知する。このとき、下りリンク制御情報１０７は周波数方向に連続して配置されたＲＢ、あるいは非連続に配置されたＲＢを示すスケジューリング情報を含む。なお、連続配置のリソース割り当てとは周波数方向に連続のＲＢを割り当てられることを意味し、非連続配置のリソース割り当てとは周波数方向に非連続のＲＢを割り当てられることを意味する。なお、非連続配置のリソース割り当ては、一部のリソースが周波数方向に連続のＲＢから構成される場合も含む。
【００３１】
図２は、本実施形態に係るスケジューリング情報で示されるリソース割り当ての一例を示している。この例は、非連続配置のリソース割り当ての一例である。非連続配置のリソース割り当てでは、周波数軸方向に、いくつかのＲＢの塊（クラスタ）が割り当てられる。図２では、２個のクラスタが割り当てられる例を示しており、それぞれのクラスタは周波数方向に４個あるいは２個の連続するＲＢから構成されている。なお、ここでは、非連続配置のリソース割り当てにおいてクラスタの数を２個としたが、これに限るものではなく、クラスタの数を３個以上にしてもよい。
【００３２】
図３は、本実施形態に係る下りリンク制御情報フォーマット（ＤＣＩ  Ｆｏｒｍａｔ）の一例を示している。Ｆｏｒｍａｔ０（第１のフォーマット）とＦｏｒｍａｔ０Ａ（第２のフォーマット）は上りリンクスケジューリング情報などの上りリンク関連情報を含む下りリンク制御情報フォーマットであり、同じビット数で構成されている。また、Ｆｏｒｍａｔ０Ａも図１７に示した下りリンク関連情報を含むＦｏｒｍａｔ１Ａと同じビット数である。また、０をパディングするフィールド以外の各フィールドのビット数もＦｏｒｍａｔ０とＦｏｒｍａｔ０Ａとで同じである。
【００３３】
Ｆｏｒｍａｔ０は、図１における下りリンク制御情報１０６を含む下りリンク制御情報フォーマットであり、連続配置のリソース割り当てに用いられる。Ｆｏｒｍａｔ０の先頭のビットフィールドは、Ｆｏｒｍａｔ０とＦｏｒｍａｔ１Ａとを識別するためのフラグ（Ｆｌａｇ  ｆｏｒ  ｆｏｒｍａｔ０／ｆｏｒｍａｔ１Ａ）である。移動局装置は、まずこのフラグを確認し、以降のビットフィールド構成を知ることになる。ホッピングフラグ（Ｈｏｐｐｉｎｇ  ｆｌａｇ）は異なる時間に異なるＲＢを用いてＰＵＳＣＨを送信すること（ホッピング）を行うか否かを示すフィールドである。Ｒｅｓｏｕｒｃｅ  ｂｌｏｃｋ  ａｓｓｉｇｎｍｅｎｔフィールドは、図１８あるいは図１９に示したような連測配置のＲＢの割り当て（Ｔｙｐｅ０）を指定するビットフィールドであり、ｃｅｉｌ（ｌｏｇ２（ＮＵＬＲＢ(ＮＵＬＲＢ＋１)／２））ビットから構成される。
【００３４】
ここで、ｃｅｉｌ（）は天井関数、ｌｏｇ２（）は底が２の対数を示し、ＮＵＬＲＢは上りリンクのシステム帯域幅に含まれるＲＢ数である。ホッピングがＯＦＦの場合（ホッピングフラグがホッピングを行なわないことを示している場合）、ｃｅｉｌ（ｌｏｇ２（ＮＵＬＲＢ(ＮＵＬＲＢ＋１)／２））ビットを用いて、図１８に示すような連続配置のＲＢにおいて、割り当てられたＲＢのうち周波数が最も低いＲＢの位置と、連続するＲＢの数とが移動局装置１０２に指定される。一方、ホッピングがＯＮの場合（ホッピングフラグがホッピングを行なわないことを示している場合）、同じｃｅｉｌ（ｌｏｇ２（ＮＵＬＲＢ(ＮＵＬＲＢ＋１)／２））ビットを用いて、図１９に示すようなサブフレーム内の２つのスロットで周波数方向に異なる連続配置のＲＢの割り当てが移動局装置１０２に指定される。
【００３５】
Ｆｏｒｍａｔ０Ａは、図１における下りリンク制御情報１０７を含む下りリンク制御情報フォーマットであり、連続配置のリソース割り当てと非連続配置のリソース割り当ての両方に用いられる。Ｆｏｒｍａｔ０Ａの先頭のビットフィールドは、Ｆｏｒｍａｔ０ＡとＦｏｒｍａｔ１Ａとを識別するためのフラグ（Ｆｌａｇ  ｆｏｒ  ｆｏｒｍａｔ０Ａ／ｆｏｒｍａｔ１Ａ）である。移動局装置は、まずこのフラグを確認し、以降のビットフィールド構成を知ることになる。非連続配置フラグ（Ｎｏｎ−ｃｏｎｔｉｇｕｏｕｓ  ｆｌａｇ）はＦｏｒｍａｔ０Ａが非連続配置のリソース割り当てを示すか否かを示すフィールドである。より詳細には、非連続配置フラグはＲｅｓｏｕｒｃｅ  ｂｌｏｃｋ  ａｓｓｉｇｎｍｅｎｔフィールドが非連続配置のリソース割り当てを示すか連続配置のリソース割り当てを示すかを示すフィールドである。
【００３６】
Ｒｅｓｏｕｒｃｅ  ｂｌｏｃｋ  ａｓｓｉｇｎｍｅｎｔフィールドは、図１８に示したような連続配置のＲＢの割り当てあるいは図２に示したような非連測配置のＲＢの割り当てを指定するビットフィールドであり、ｃｅｉｌ（ｌｏｇ２（ＮＵＬＲＢ(ＮＵＬＲＢ＋１)／２））ビットから構成される。ここで、ｃｅｉｌ（）は天井関数、ｌｏｇ２（）は底が２の対数を示し、ＮＵＬＲＢは上りリンクのシステム帯域幅に含まれるＲＢ数である。非連続配置フラグがＯＦＦの場合（非連続配置フラグが連続配置を示している場合）、ｃｅｉｌ（ｌｏｇ２（ＮＵＬＲＢ(ＮＵＬＲＢ＋１)／２））ビットを用いて、図１８に示すような連続配置のＲＢにおいて、割り当てられたＲＢのうち周波数が最も低いＲＢの位置と、連続するＲＢの数とが移動局装置１０３に指定される。一方、非連続配置フラグがＯＮの場合（非連続配置フラグが非連続配置を示している場合）、同じｃｅｉｌ（ｌｏｇ２（ＮＵＬＲＢ(ＮＵＬＲＢ＋１)／２））ビットを用いて、図２に示すような複数のクラスタに分けられた非連続配置（Ｔｙｐｅ１）のＲＢが移動局装置１０３に指定される。
【００３７】
このように、非連続配置フラグを導入することにより、Ｒｅｓｏｕｒｃｅ  ｂｌｏｃｋ  ａｓｓｉｇｎｍｅｎｔフィールドが示すリソース割り当てを、連続配置のリソース割り当てと非連続配置のリソース割り当てで切り替えることができる。このため、スケジューリングの自由度が向上し、周波数利用効率が向上する。特に、物理層において下りリンク制御情報フォーマットで非連続配置フラグが通知される場合は、移動局装置は連続配置のリソース割り当てに対しても非連続配置のリソース割り当てに対しても一種類のサイズ（ペイロードサイズまたはビット数）の下りリンク制御情報フォーマットを監視して復号することで、監視および復号する下りリンク制御情報フォーマットの数（異なるビット数の下りリンク制御情報フォーマットの数）を抑制しながら、連続配置のリソース割り当てと非連続配置のリソース割り当てとを動的（サブフレーム毎）に切り替えることができるため、スケジューリングの自由度が大きく向上する。また、監視および復号する下りリンク制御情報フォーマットの数（異なるビット数の下りリンク制御情報フォーマットの数）を抑制することで、移動局装置が下りリンク制御情報フォーマットを監視および復号する際の負荷も減らすことができる。
【００３８】
また、図３に示すように、Ｆｏｒｍａｔ０とＦｏｒｍａｔ０Ａとで、Ｒｅｓｏｕｒｃｅ  ｂｌｏｃｋ  ａｓｓｉｇｎｍｅｎｔフィールドおよびその他のフィールドのビット数を同じにし、Ｆｏｒｍａｔ０のＨｏｐｐｉｎｇ  ｆｌａｇとＦｏｒｍａｔ０ＡのＮｏｎ−ｃｏｎｔｉｇｕｏｕｓ  ｆｌａｇとでビット数を同じにする。さらに、Ｆｏｒｍａｔ０におけるＨｏｐｐｉｎｇ  ｆｌａｇフィールドの位置と同じ位置にＦｏｒｍａｔ０ＡのＮｏｎ−ｃｏｎｔｉｇｕｏｕｓ  ｆｌａｇフィールドを配置する。これにより、Ｒｅｓｏｕｒｃｅ  ｂｌｏｃｋ  ａｓｓｉｇｎｍｅｎｔフィールドやその他のフィールドの読み出し位置をＦｏｒｍａｔ０とＦｏｒｍａｔ０Ａとで共通にすることができる。
【００３９】
図４は、本実施形態に係る非連続配置のリソース割り当ての一例を示している。ここでは、２個のクラスタが割り当てられており、それぞれのクラスタは周波数方向に４個のＲＢから構成されている。上りリンク帯域内のＲＢは、周波数方向に連続する複数個のＲＢがまとめられてＫ個のＲＢＧ（ＲＢ  Ｇｒｏｕｐ）が構成されている。基地局装置１０１は非連続配置のリソース割り当てで割り当てるＲＢをＲＢＧ単位で指定することにより、ＲＢの割り当てを指定するのに必要なビット数を低減することができる。すなわち、Ｋを適当な値に設定することにより、非連続配置のＲＢの位置をｃｅｉｌ（ｌｏｇ２（ＮＵＬＲＢ(ＮＵＬＲＢ＋１)／２））ビットで表現することができる。
【００４０】
図５は、本実施形態に係る非連続配置のリソース割り当ての他の一例を示している。ここでは、２個のクラスタが割り当てられており、それぞれのクラスタは周波数方向に４個のＲＢから構成されている。上りリンク帯域内のＲＢは、周波数方向に連続する複数個のＲＢがまとめられてＫ個のＲＢＧが構成されているとともに、隣接する複数個のＲＢＧがまとめられて２個のＢＰ（Ｂａｎｄｗｉｄｔｈ  Ｐａｒｔ）が構成されている。基地局装置１０１はＢＰ毎に１つ（あるいは所定数の）クラスタを割り当てることにより、ＲＢの割り当てを指定するのに必要なビット数を低減することができる。
【００４１】
ここではＢＰが２個の場合について示したが、ＢＰの数を適当に設定することにより、非連続配置のＲＢの位置をｃｅｉｌ（ｌｏｇ２（ＮＵＬＲＢ(ＮＵＬＲＢ＋１)／２））ビットで表現することができる。なお、ここでは、ＢＰ毎にＲＢＧが指定される場合について示したが、これに限るものではなく、ＢＰ内のクラスタの指定方法としては別の指定方法を用いることもできる。例えば、ＢＰ毎にクラスタが割り当てられ、割り当てられたＲＢのうち周波数が最も低いＲＢの位置と、連続するＲＢの数とが指定されるようにすることができる。なお、ここでは、ＢＰは異なる周波数帯域から構成されるが、これに限るものではなく、ＢＰが周波数領域において一部重複してもよい。また、ここでは、２個のＢＰが構成される例を示したが、これに限るものでなく、３個以上のＢＰが構成されてもよい。
【００４２】
次に、移動局装置における下りリンク制御情報の監視および検出について説明する。下りリンク制御情報には巡回冗長検査（ＣＲＣ：Ｃｙｃｌｉｃ  Ｒｅｄｕｎｄａｎｃｙ  Ｃｈｅｃｋ）が付加されており、下りリンク制御情報のＣＲＣは識別子（ＲＮＴＩ：Ｒａｄｉｏ  Ｎｅｔｗｏｒｋ  Ｔｅｍｐｏｒａｒｙ  Ｉｄｅｎｔｉｔｙ）でスクランブルされる。移動局装置は、下りリンク制御情報のＣＲＣに用いられたＲＮＴＩに応じて、ＰＤＣＣＨおよび／またはＰＤＳＣＨおよび／またはＰＵＳＣＨの用途（トランスポートチャネルまたは論理チャネル）、または下りリンク制御情報フォーマット、またはＰＤＳＣＨの送信方式、またはＰＵＳＣＨの送信方式を判別することができる。なお、特定の移動局装置に対する下りリンク制御情報に用いられるＲＮＴＩは予め移動局装置に通知される。ＲＮＴＩは、ＰＤＣＣＨに含まれる下りリンク制御情報のＣＲＣで暗示的に符号化される。具体的には、１６ビットのＣＲＣパリティビットと１６ビットのＲＮＴＩの論理和を行うことによって、ＣＲＣがＲＮＴＩでスクランブルされる。
【００４３】
図６は、本実施形態に係る検索領域の一例を示している。ＰＤＣＣＨは、第１の領域であり、複数の移動局装置が監視する領域である共通検索領域（ＣＳＳ：Ｃｏｍｍｏｎ  Ｓｅａｒｃｈ  Ｓｐａｃｅ）と、第２の領域であり、一部の移動局装置が監視する領域である移動局固有検索領域（ＵＳＳ：ＵＥ−ｓｐｅｃｉｆｉｃ  Ｓｅａｒｃｈ  Ｓｐａｃｅ）の両方の検索領域、またはいずれか一方の検索領域に配置される。検索領域は、例えばサブフレームの１番目のＯＦＤＭシンボルから３番目のＯＦＤＭシンボル内の分散された複数のリソースエレメントから構成される。ＬＴＥにおいて移動局装置はＦｏｒｍａｔ０を復号する領域としてＣＳＳとＵＳＳの両方の検索領域を監視していた。すなわち、移動局装置はＣＳＳとＵＳＳの両方の検索領域でＦｏｒｍａｔ０を復号処理し、ＰＤＣＣＨに含まれるＣＲＣのパリティビットとＲＮＴＩを確認し、自装置宛の下りリンク制御情報の有無を確認していた。
【００４４】
本実施形態に係る移動局装置は、ＣＳＳにおいてＦｏｒｍａｔ０またはＵＳＳにおいてＦｏｒｍａｔ０Ａを復号処理する。なお、移動局装置がＣＳＳにおいてＦｏｒｍａｔ０またはＵＳＳにおいてＦｏｒｍａｔ０Ａを復号処理することを基地局装置が認識しておく。Ｆｏｒｍａｔ０とＦｏｒｍａｔ０Ａのビット数は互いに等しいため、移動局装置がＦｏｒｍａｔ０とＦｏｒｍａｔ０Ａの両方の下りリンク制御情報フォーマットを監視するにも係らず、移動局装置の復号処理に要する演算量は、増加しない。また、ＣＳＳにＦｏｒｍａｔ０を配置し、ＵＳＳにＦｏｒｍａｔ０Ａを配置することで、移動局装置がＣＳＳとＵＳＳの両方の検索領域においてＦｏｒｍａｔ０とＦｏｒｍａｔ０Ａを復号処理する場合に比べ、Ｆｏｒｍａｔ０およびＦｏｒｍａｔ０Ａの復号処理に要する移動局装置の演算量を増加しないようにすることができる。これにより、移動局装置の処理量を低減することができる。また、移動局装置の消費電力を低減することができる。
【００４５】
図７は、本実施形態に係る検索領域の他の一例を示している。ここに示すＣＳＳとＵＳＳは、その一部あるいは全部の検索領域が重複している。ＣＳＳとＵＳＳはＰＤＣＣＨに用いられるＯＦＤＭシンボル数毎に異なるリソースエレメントから構成される。ＣＳＳは基地局装置が管轄する移動局装置に対して共通のリソースエレメントから構成され、ＵＳＳは移動局装置毎に独立のリソースエレメントから構成される。具体的には、ＵＳＳは移動局装置に割り当てられたＲＮＴＩに応じて選択されたリソースエレメントから構成される。移動局装置に割り当てられたＲＮＴＩによってはＵＳＳに用いられるリソースエレメントはＣＳＳに用いられるリソースエレメントと重複する場合がある。換言すると、ＵＳＳにおけるＰＤＣＣＨを配置する候補と、ＣＳＳにおけるＰＤＣＣＨを配置する候補が一致する場合がある。
【００４６】
図８は、Ｈｏｐｐｉｎｇ  ｆｌａｇとＮｏｎ−ｃｏｎｔｉｇｕｏｕｓ  ｆｌａｇのビットの値と、その値が示す状態の対応の一例を示している。この対応の情報は、予め基地局装置と移動局装置とで共有しておく。本実施形態におけるＦｏｒｍａｔ０とＦｏｒｍａｔ０Ａは、Ｒｅｓｏｕｒｃｅ  ｂｌｏｃｋ  ａｓｓｉｇｎｍｅｎｔフィールドおよびその他のフィールドのビット数が同じであり、Ｆｏｒｍａｔ０のＨｏｐｐｉｎｇ  ｆｌａｇとＦｏｒｍａｔ０ＡのＮｏｎ−ｃｏｎｔｉｇｕｏｕｓ  ｆｌａｇとでビット数が同じである。さらに、Ｆｏｒｍａｔ０におけるＨｏｐｐｉｎｇ  ｆｌａｇフィールドの位置と同じ位置にＦｏｒｍａｔ０ＡのＮｏｎ−ｃｏｎｔｉｇｕｏｕｓ  ｆｌａｇフィールドを配置しているため、Ｒｅｓｏｕｒｃｅ  ｂｌｏｃｋ  ａｓｓｉｇｎｍｅｎｔフィールドやその他のフィールドの読み出し位置をＦｏｒｍａｔ０とＦｏｒｍａｔ０Ａとで共通にすることができる。
【００４７】
また、Ｈｏｐｐｉｎｇ  ｆｌａｇのビット値が０である場合に、ホッピングがＯＦＦであることを示し、１である場合にＯＮであることを示す。また、Ｎｏｎ−ｃｏｎｔｉｇｕｏｕｓ  ｆｌａｇのビット値が０である場合に、連続配置のリソース割り当てであることを示し、１である場合に非連続配置のリソース割り当てであることを示す。これにより、ＣＳＳとＵＳＳが重複している場合、基地局装置は、重複した検索領域に配置するＦｏｒｍａｔ０のＨｏｐｐｉｎｇ  ｆｌａｇを０とし、重複した検索領域に配置するＦｏｒｍａｔ０ＡのＮｏｎ−ｃｏｎｔｉｇｕｏｕｓ  ｆｌａｇを０とするだけで、重複した検索領域に配置するＦｏｒｍａｔ０とＦｏｒｍａｔ０Ａのビット系列は同様の意味を示すことになる。
【００４８】
図９を用いて、さらに詳しく説明する。図９は、検索領域とＨｏｐｐｉｎｇ  ｆｌａｇおよびＮｏｎ−ｃｏｎｔｉｇｕｏｕｓ  ｆｌａｇの組み合わせに対するホッピングとリソース割り当ての設定を示している。移動局装置は、ＣＳＳにおいてＦｏｒｍａｔ０を検出した場合、Ｈｏｐｐｉｎｇ  ｆｌａｇを確認し、Ｈｏｐｐｉｎｇ  ｆｌａｇが０であれば、ホッピングはＯＦＦであり、リソース割り当ては連続配置のリソース割り当てと認識し、Ｈｏｐｐｉｎｇ  ｆｌａｇが１であれば、ホッピングはＯＮであり、リソース割り当ては連続配置のリソース割り当てと認識する。一方、移動局装置は、ＵＳＳにおいてＦｏｒｍａｔ０Ａを検出した場合、Ｆｏｒｍａｔ０におけるＨｏｐｐｉｎｇ  ｆｌａｇと同じ位置に配置されたＮｏｎ−ｃｏｎｔｉｇｕｏｕｓ  ｆｌａｇを確認し、Ｎｏｎ−ｃｏｎｔｉｇｕｏｕｓ  ｆｌａｇが０であれば、ホッピングはＯＦＦであり、リソース割り当ては連続配置のリソース割り当てと認識し、Ｎｏｎ−ｃｏｎｔｉｇｕｏｕｓ  ｆｌａｇが１であれば、ホッピングはＯＦＦであり、リソース割り当ては非連続配置のリソース割り当てと認識する。
【００４９】
Ｆｏｒｍａｔ０におけるＨｏｐｐｉｎｇ  ｆｌａｇフィールドとＦｏｒｍａｔ０ＡにおけるＮｏｎ−ｃｏｎｔｉｇｕｏｕｓ  ｆｌａｇフィールドとを下りリンク制御情報フォーマット内において相対的に同じ位置に配置し、それぞれのビット値が０である場合の設定を共通にしておく。これにより、ＣＳＳにおいてＦｏｒｍａｔ０またはＵＳＳにおいてＦｏｒｍａｔ０Ａを復号処理する移動局装置は、ＣＳＳとＵＳＳが重複した検索領域において検出したＤＣＩ  ｆｏｒｍａｔがＦｏｒｍａｔ０であると認識してもＦｏｒｍａｔ０Ａであると認識しても、Ｆｏｒｍａｔ０におけるＨｏｐｐｉｎｇ  ｆｌａｇフィールドとＦｏｒｍａｔ０ＡにおけるＮｏｎ−ｃｏｎｔｉｇｕｏｕｓ  ｆｌａｇフィールドに相当するフィールドのビット値が０である場合、各下りリンク制御情報フォーマットにおいて設定する状態は、ホッピングがＯＦＦであり、リソース割り当てが連続配置のリソース割り当てであるため、Ｆｏｒｍａｔ０とＦｏｒｍａｔ０Ａを識別するシグナリングを別途使用する必要がなく、オーバヘッドを増大しない効率的なシグナリングが可能となる。
【００５０】
なお、基地局装置は、ＣＳＳとＵＳＳの検索領域が重複している移動局装置に対しては、ＣＳＳとＵＳＳの検索領域が重複している検索領域ではリソース割り当てが連続配置のリソース割り当てのみを用いるようにし、Ｆｏｒｍａｔ０におけるＨｏｐｐｉｎｇ  ｆｌａｇフィールドまたはＦｏｒｍａｔ０ＡにおけるＮｏｎ−ｃｏｎｔｉｇｕｏｕｓ  ｆｌａｇフィールドのビット値が０を示す下りリンク制御情報フォーマットを移動局装置に送信するようにしておくことで、上記の効果をさらに大きく得ることができる。なお、ＣＳＳとＵＳＳの検索領域が重複していないＣＳＳでは、Ｆｏｒｍａｔ０におけるＨｏｐｐｉｎｇ  ｆｌａｇフィールドのビット値は０でも１でもよく、ＣＳＳとＵＳＳの検索領域が重複していないＵＳＳでは、Ｆｏｒｍａｔ０ＡにおけるＮｏｎ−ｃｏｎｔｉｇｕｏｕｓ  ｆｌａｇフィールドのビット値は０でも１でもよい。
【００５１】
このように、本発明の通信システムは、Ｆｏｒｍａｔ０におけるＨｏｐｐｉｎｇ  ｆｌａｇフィールドのビット数とＦｏｒｍａｔ０ＡにおけるＮｏｎ−ｃｏｎｔｉｇｕｏｕｓフィールドのビット数を同じにし、Ｆｏｒｍａｔ０におけるＨｏｐｐｉｎｇ  ｆｌａｇフィールドとＦｏｒｍａｔ０ＡにおけるＮｏｎ−ｃｏｎｔｉｇｕｏｕｓフィールドを同じ位置のビットフィールドに配置する。これにより、Ｆｏｒｍａｔ０とＦｏｒｍａｔ０Ａとで、Ｒｅｓｏｕｒｃｅ  ｂｌｏｃｋ  ａｓｓｉｇｎｍｅｎｔフィールドおよびその他のフィールドの読み出し位置を同じにすることができる。なお、この効果は、Ｆｏｒｍａｔ０とＦｏｒｍａｔ０Ａを異なる領域に配置する場合だけでなく、両者を同じ領域に配置する場合にも得ることができる。
【００５２】
また、本発明の通信システムは、Ｆｏｒｍａｔ０におけるＨｏｐｐｉｎｇ  ｆｌａｇフィールドが所定のビット値である場合の状態と、Ｆｏｒｍａｔ０ＡにおけるＮｏｎ−ｃｏｎｔｉｇｕｏｕｓフィールドが同じビット値である場合の状態が同じになるように、ビット値と状態の対応を決めておく。また、移動局装置は、ＣＳＳにおいてＦｏｒｍａｔ０またはＵＳＳにおいてＦｏｒｍａｔ０Ａを復号処理する。これにより、移動局装置は下りリンク制御情報フォーマットの復号回数を増やすことなくＦｏｒｍａｔ０とＦｏｒｍａｔ０Ａとを監視できる。また、ＣＳＳとＵＳＳの検索領域が重複する場合であっても、Ｆｏｒｍａｔ０とＦｏｒｍａｔ０Ａとを識別するための他のシグナリングを追加することなく、移動局装置は上りリンク関連情報を正確に取得することができる。
【００５３】
（第２の実施形態）
第１の実施形態では、上りリンクスケジューリング情報などの上りリンク関連情報を含む下りリンク制御情報フォーマットとしてＦｏｒｍａｔ０とＦｏｒｍａｔ０Ａを用いる場合について説明した。本発明の第２の実施形態では、Ｆｏｒｍａｔ０を用いる場合について説明する。以下、図面を参照して、本実施形態について説明する。
【００５４】
基地局装置は、非連続配置のリソース割り当てをサポートする移動局装置に対して、予め非連続配置のリソース割り当ての設定がアクティブか否かを通知し、移動局装置は、基地局装置からの通知に基づいて、予め非連続配置のリソース割り当ての設定がアクティブか否かを設定する。例えば、ＲＲＣ（Ｒａｄｉｏ  Ｒｅｓｏｕｒｃｅ  Ｃｏｎｔｒｏｌ）シグナリングなどの上位層における制御情報を用いて、これを実現することができる。ＲＲＣシグナリングは、ＰＤＳＣＨで移動局装置に送信される。ＲＲＣシグナリングにＮｏｎ−ｃｏｎｔｉｇｕｏｕｓ  ＲＢ  ａｓｓｉｇｎｍｅｎｔフィールドを準備しておき、このフィールドの値がａｃｔｉｖｅか否かで非連続配置のリソース割り当てに関して設定することができる。なお、基地局装置が移動局装置に非連続配置のリソース割り当ての設定がアクティブか否かを通知する前は、移動局装置は非連続配置のリソース割り当ての設定はアクティブではないとし、基地局装置もそれを認識しておく。
【００５５】
図１０は、本実施形態に係る下りリンク制御情報フォーマットの一例を示している。基地局装置は、連続配置のリソース割り当てのみを行う移動局装置と連続配置のリソース割り当てと非連続配置のリソース割り当ての両方を行うことができる移動局装置のどちらに対しても、Ｆｏｒｍａｔ０を用いて上りリンク関連情報を通知する。予め非連続配置のリソース割り当てがアクティブに設定されていない移動局装置は、Ｆｏｒｍａｔ０の先頭のビットフィールドを確認し、以降のビットフィールドの内容を取得する。
【００５６】
Ｈｏｐｐｉｎｇ  ｆｌａｇがホッピングＯＦＦを示す場合、移動局装置は、Ｒｅｓｏｕｒｃｅ  ｂｌｏｃｋ  ａｓｓｉｇｎｍｅｎｔフィールドのｃｅｉｌ（ｌｏｇ２（ＮＵＬＲＢ(ＮＵＬＲＢ＋１)／２））ビットを用いて、図１８に示すような連続配置のＲＢにおいて、割り当てられたＲＢのうち周波数が最も低いＲＢの位置と、連続するＲＢの数とを指定される。一方、Ｈｏｐｐｉｎｇ  ｆｌａｇがホッピングＯＮを示す場合、移動局装置は、Ｈｏｐｐｉｎｇ  ｆｌａｇがホッピングＯＦＦを示す場合と同様にｃｅｉｌ（ｌｏｇ２（ＮＵＬＲＢ(ＮＵＬＲＢ＋１)／２））ビットを用いて、図１９に示すようなサブフレーム内の２つのスロットで周波数方向に異なる連続配置のリソース割り当てが指定される。
【００５７】
予め非連続配置のリソース割り当てがアクティブに設定されている移動局装置は、Ｆｏｒｍａｔ０内のＨｏｐｐｉｎｇ  ｆｌａｇフィールドをＮｏｎ−ｃｏｎｔｉｇｕｏｕｓ  ｆｌａｇフィールドとして読み替える。また、移動局装置は、Ｎｏｎ−ｃｏｎｔｉｇｕｏｕｓ  ｆｌａｇフィールド（読み替えたＨｏｐｐｉｎｇ  ｆｌａｇ）の値に基づいて、Ｒｅｓｏｕｒｃｅ  ｂｌｏｃｋ  ａｓｓｉｇｎｍｅｎｔフィールドが示すＲＢ配置の指定方法がＴｙｐｅ０であるかＴｙｐｅ１であるかを識別する。
【００５８】
すなわち、Ｎｏｎ−ｃｏｎｔｉｇｕｏｕｓ  ｆｌａｇフィールド（読み替えたＨｏｐｐｉｎｇ  ｆｌａｇ）がホッピングＯＦＦを示す値である場合、移動局装置は、Ｒｅｓｏｕｒｃｅ  ｂｌｏｃｋ  ａｓｓｉｇｎｍｅｎｔフィールドのｃｅｉｌ（ｌｏｇ２（ＮＵＬＲＢ(ＮＵＬＲＢ＋１)／２））ビットを用いて、図１８に示すような連続配置のＲＢにおいて、割り当てられたＲＢのうち周波数が最も低いＲＢの位置と、連続するＲＢの数とを指定される。一方、Ｎｏｎ−ｃｏｎｔｉｇｕｏｕｓ  ｆｌａｇフィールド（読み替えたＨｏｐｐｉｎｇ  ｆｌａｇ）がホッピングＯＮを示す値である場合、移動局装置は、Ｎｏｎ−ｃｏｎｔｉｇｕｏｕｓ  ｆｌａｇフィールド（読み替えたＨｏｐｐｉｎｇ  ｆｌａｇ）がホッピングＯＦＦを示す値である場合と同様にｃｅｉｌ（ｌｏｇ２（ＮＵＬＲＢ(ＮＵＬＲＢ＋１)／２））ビットを用いて、図２に示すような非連続配置のリソース割り当てを指定される。
【００５９】
このように、予め非連続配置のリソース割り当てがアクティブに設定されておらず、かつＦｏｒｍａｔ０におけるＨｏｐｐｉｎｇ  ｆｌａｇフィールドが所定のビット値（“Ｘ”、例えば“０”）である場合の状態と、予め非連続配置のリソース割り当てがアクティブに設定されており、かつＦｏｒｍａｔ０におけるＮｏｎ−ｃｏｎｔｉｇｕｏｕｓ  ｆｌａｇフィールドが上記所定のビット値と同じビット値（“Ｘ”、例えば“０”）である場合の状態を共通にすることにより、第１の実施形態と同様の効果を得ることができる。移動局装置は下りリンク制御情報フォーマットの復号回数を増やすことなく連続配置のリソース割り当てを示すＲｅｓｏｕｒｃｅ  ｂｌｏｃｋ  ａｓｓｉｎｇｍｅｎｔと非連続配置のリソース割り当てを示すＲｅｓｏｕｒｃｅ  ｂｌｏｃｋ  ａｓｓｉｎｇｍｅｎｔを含む下りリンク制御情報フォーマットとを監視できる。
【００６０】
また、ＣＳＳとＵＳＳの検索領域が重複する場合であっても、連続配置のリソース割り当てを示すＲｅｓｏｕｒｃｅ  ｂｌｏｃｋ  ａｓｓｉｎｇｍｅｎｔと非連続配置のリソース割り当てを示すＲｅｓｏｕｒｃｅ  ｂｌｏｃｋ  ａｓｓｉｎｇｍｅｎｔとを識別するための他のシグナリングを追加することなく、移動局装置は上りリンク関連情報を正確に取得することができる。ここで、ＵＳＳにおいてＦｏｒｍａｔ０のＨｏｐｐｉｎｇ  ｆｌａｇフィールドをＮｏｎ−ｃｏｎｔｉｇｕｏｕｓ  ｆｌａｇフィールドとして読み替え、ＣＳＳにおいてＦｏｒｍａｔ０のＨｏｐｐｉｎｇ  ｆｌａｇフィールドをＮｏｎ−ｃｏｎｔｉｇｕｏｕｓ  ｆｌａｇフィールドとして読み替えない移動局装置において、特に上記の効果をより大きく得ることができる。
【００６１】
（第３の実施形態）
第１の実施形態では、Ｆｏｒｍａｔ０において連続配置のＲＢ割り当てを指定するためのビット数とＦｏｒｍａｔ０Ａにおいて非連続配置のＲＢ割り当てを指定するためのビット数が同じである場合について説明した。本発明の第３の実施形態では、Ｆｏｒｍａｔ０において連続配置のＲＢ割り当てを指定するためのビット数とＦｏｒｍａｔ０Ａにおいて非連続配置のＲＢ割り当てを指定するためのビット数が異なる場合について説明する。以下、図面を参照して、本実施形態について説明する。
【００６２】
図１１は、本実施形態に係る下りリンク制御情報フォーマットの一例を示している。基地局装置は、連続配置のリソース割り当てのみを行う移動局装置に対してＦｏｒｍａｔ０を用いて上りリンク関連情報を通知し、非連続配置のリソース割り当てを行うことができる移動局装置に対してＦｏｒｍａｔ０Ａを用いて上りリンク関連情報を通知する。
【００６３】
本実施形態に係るＦｏｒｍａｔ０Ａは、Ｆｏｒｍａｔ０のＲｅｓｏｕｒｃｅ  ｂｌｏｃｋ  ａｓｓｉｇｎｍｅｎｔフィールドと同じ位置に配置されたＲｅｓｏｕｒｃｅ  ｂｌｏｃｋ  ａｓｓｉｇｎｍｅｎｔフィールドであるＲｅｓｏｕｒｃｅ  ｂｌｏｃｋ  ａｓｓｉｇｎｍｅｎｔ１フィールドに加えて、Ｆｏｒｍａｔ０において０をパディングするフィールドと同じ位置のフィールドの一部あるいは全部から構成されるフィールドであるＲｅｓｏｕｒｃｅ  ｂｌｏｃｋ  ａｓｓｉｇｎｍｅｎｔ２フィールドを用いて、非連続配置のリソース割り当てが指定される。
【００６４】
第１の実施形態と同様に、Ｆｏｒｍａｔ０Ａは、連続配置のＲＢの割り当てと非連続配置のＲＢの割り当ての両方の指定に用いられることができる。Ｆｏｒｍａｔ０Ａの先頭のビットフィールドは、Ｆｏｒｍａｔ０ＡとＦｏｒｍａｔ１Ａとを識別するためのフラグ（Ｆｌａｇ  ｆｏｒ  ｆｏｒｍａｔ０Ａ／ｆｏｒｍａｔ１Ａ）である。移動局装置は、まずこのフラグを確認し、以降のビットフィールド構成を知ることになる。非連続配置フラグ（Ｎｏｎ−ｃｏｎｔｉｇｕｏｕｓ  ｆｌａｇ）は非連続配置のリソース割り当てを行うか否かを示すフィールドである。Ｒｅｓｏｕｒｃｅ  ｂｌｏｃｋ  ａｓｓｉｇｎｍｅｎｔフィールドは、ｃｅｉｌ（ｌｏｇ２（ＮＵＬＲＢ(ＮＵＬＲＢ＋１)／２））ビットから構成される。Ｎｏｎ−ｃｏｎｔｉｇｕｏｕｓ  ｆｌａｇが非連続配置のリソース割り当てを行うと示さない場合（Ｔｙｐｅ０）、Ｆｏｒｍａｔ０において０をパディングするフィールドと同じ位置のフィールドは、Ｆｏｒｍａｔ０と同様に０がパディングされる。
【００６５】
一方、Ｎｏｎ−ｃｏｎｔｉｇｕｏｕｓ  ｆｌａｇが非連続配置のリソース割り当てを行うと示す場合（Ｔｙｐｅ１）、Ｆｏｒｍａｔ０において０をパディングするフィールドと同じ位置のフィールドの一部あるいは全部には、ＮＥＸビットのＲｅｓｏｕｒｃｅ  ｂｌｏｃｋ  ａｓｓｉｇｎｍｅｎｔ２フィールドが設定される。非連続配置フラグがＯＦＦの場合、Ｒｅｓｏｕｒｃｅ  ｂｌｏｃｋ  ａｓｓｉｇｎｍｅｎｔ１フィールドのｃｅｉｌ（ｌｏｇ２（ＮＵＬＲＢ(ＮＵＬＲＢ＋１)／２））ビットを用いて、図１８に示すような連続配置（Ｔｙｐｅ０）のＲＢにおいて、割り当てられたＲＢのうち周波数が最も低いＲＢの位置と、連続するＲＢの数とが指定される。一方、非連続配置フラグがＯＮの場合、Ｒｅｓｏｕｒｃｅ  ｂｌｏｃｋ  ａｓｓｉｇｎｍｅｎｔ１フィールドとＲｅｓｏｕｒｃｅ  ｂｌｏｃｋ  ａｓｓｉｇｎｍｅｎｔ２フィールドの合計ｃｅｉｌ（ｌｏｇ２（ＮＵＬＲＢ(ＮＵＬＲＢ＋１)／２））＋ＮＥＸビットを用いて、図２に示すような複数のクラスタに分けられた非連続配置（Ｔｙｐｅ１）のＲＢが指定される。
【００６６】
ここで、Ｆｏｒｍａｔ０において、０がパディングされるフィールドの大きさは、Ｆｏｒｍａｔ０のビット数とＦｏｒｍａｔ１Ａのビット数とから算出される。また、Ｆｏｒｍａｔ０のビット数は上りリンクのＲＢ数ＮＵＬＲＢに依存し、Ｆｏｒｍａｔ１Ａのビット数は下りリンクのＲＢ数ＮＤＬＲＢに依存する。例えば、Ｆｏｒｍａｔ０のビット数がｃｅｉｌ（ｌｏｇ２（ＮＵＬＲＢ(ＮＵＬＲＢ＋１)／２））＋１４ビットであり、Ｆｏｒｍａｔ１Ａのビット数がｃｅｉｌ（ｌｏｇ２（ＮＤＬＲＢ(ＮＤＬＲＢ＋１)／２））＋１５ビットであり、かつＮＵＬＲＢとＮＤＬＲＢが等しい場合、０をパディングするフィールドは１ビットとなる。この場合、この１ビットをＲｅｓｏｕｒｃｅ  ｂｌｏｃｋ  ａｓｓｉｇｎｍｅｎｔ２フィールドとし、ｃｅｉｌ（ｌｏｇ２（ＮＵＬＲＢ(ＮＵＬＲＢ＋１)／２））＋１ビットを用いて非連続配置のリソース割り当てが指定される。
【００６７】
なお、ＮＥＸの値は、システムにおいて固定であってもよいし、上りリンクと下りリンクのＲＢの数から算出するようにしてもよい。例えば、システムにおいて固定である場合、Ｆｏｒｍａｔ０において、少なくともＮＥＸビットの０パディングするフィールドが生じるように、ＮＵＬＲＢとＮＤＬＲＢの値を制限すればよい。また、上りリンクと下りリンクのＲＢから算出する場合、基地局装置がサポートするＮＵＬＲＢとＮＤＬＲＢから０をパディングするフィールドのビット数を算出し、このビット数をＮＥＸとするという方法を用いることができる。ＮＥＸの値をＮＵＬＲＢとＮＤＬＲＢから算出する場合、非連続配置のリソース割り当てが指定されるために要するビット数がＮＵＬＲＢとＮＤＬＲＢに依存する。このとき、非連続配置のリソース割り当てが指定されるに際して用いられるパラメータをＮＵＬＲＢとＮＤＬＲＢから算出するようにすることで、スケジューリングの自由度を向上することができる。例えば、図４におけるＲＢＧの数や図５におけるＢＰの数などＮＵＬＲＢとＮＤＬＲＢから算出するようにする。
【００６８】
なお、Ｆｏｒｍａｔ０のビット数とＦｏｒｍａｔ１Ａのビット数がＮＵＬＲＢとＮＤＬＲＢの値に依存するとして説明したが、これ以外のシステムパラメータに依存する場合は、ＮＥＸの値や非連続配置のリソース割り当てが指定されるに際して用いられるパラメータをそれらのシステムパラメータを用いて算出するようにしてもよい。例えば、ＦＤＤ（Ｆｒｅｑｕｅｎｃｙ  Ｄｅｖｉｓｉｏｎ  Ｄｕｐｌｅｘ）とＴＤＤ（Ｔｉｍｅ  Ｄｅｖｉｓｉｏｎ  Ｄｕｐｌｅｘ）とでＦｏｒｍａｔ０のビット数あるいはＦｏｒｍａｔ１Ａのビット数が異なる場合、ＮＥＸの値や非連続配置のリソース割り当てが指定されるに際して用いられるパラメータをＦＤＤかＴＤＤかによって切り替えるようにすれば、本発明の効果をより多く得ることができる。
【００６９】
このように、本発明の通信システムでは、Ｆｏｒｍａｔ０におけるＨｏｐｐｉｎｇ  ｆｌａｇフィールドのビット数とＦｏｒｍａｔ０ＡにおけるＮｏｎ−ｃｏｎｔｉｇｕｏｕｓフィールドのビット数を同じにし、Ｆｏｒｍａｔ０とＦｏｒｍａｔ０Ａとで、Ｒｅｓｏｕｒｃｅ  ｂｌｏｃｋ  ａｓｓｉｇｎｍｅｎｔフィールド（Ｒｅｓｏｕｒｃｅ  ｂｌｏｃｋ  ａｓｓｉｇｎｍｅｎｔ１フィールド）およびその他のフィールドの読み出し位置を同じにする。また、本発明の通信システムでは、Ｆｏｒｍａｔ０におけるＨｏｐｐｉｎｇ  ｆｌａｇフィールドが所定のビット値（“Y”、例えば“００”）である場合の状態と、Ｆｏｒｍａｔ０ＡにおけるＮｏｎ−ｃｏｎｔｉｇｕｏｕｓフィールドが同じビット値（“Y”、例えば“００”）である場合の状態が同じになるように、ビット値と状態の対応を決めておく。移動局装置は、ＣＳＳにおいてＦｏｒｍａｔ０またはＵＳＳにおいてＦｏｒｍａｔ０Ａを復号処理する。これにより、移動局装置の復号回数を増やすことなくＦｏｒｍａｔ０とＦｏｒｍａｔ０Ａとを監視できる。また、ＣＳＳとＵＳＳが重複する場合であっても、Ｆｏｒｍａｔ０とＦｏｒｍａｔ０Ａとを識別するための他のシグナリングを追加することなく、移動局装置は上りリンク関連情報を正確に取得することができる。
【００７０】
なお、上記の説明では、Ｆｏｒｍａｔ０とＦｏｒｍａｔ０Ａとを用いる場合について説明したが、第２の実施形態と同様にＦｏｒｍａｔ０を用いる場合についても同様の効果を得ることができる。この場合、予め非連続配置のリソース割り当ての設定がアクティブか否かを通知し、非連続配置のリソース割り当てがアクティブである場合にＲｅｓｏｕｒｃｅ  ｂｌｏｃｋ  ａｓｓｉｇｎｍｅｎｔ２フィールドを設定するようにすればよい。
【００７１】
（第４の実施形態）
本発明の第４の実施形態では、基地局装置と移動局装置のブロック構成およびブロックの機能について説明する。以下、図面を参照して、本実施形態について説明する。
【００７２】
図１２は、本実施形態に係る基地局装置のブロック構成の一例を示している。基地局装置は、スケジューリング部１２０１、送信部（下りリンク送信部）１２０２、受信部（上りリンク受信部）１２０３、アンテナ部（基地局アンテナ部）１２０４を有する。スケジューリング部１２０１は、上りリンク送信リソース情報制御部１２０５、下りリンク制御チャネル管理部１２０６を有する。送信部１２０２は、制御チャネルマッピング部１２０７、無線送信部（下りリンク無線送信部）１２０８を有する。受信部１２０３は、無線受信部（上りリンク無線受信部）１２０９、デマッピング部１２１０、復調部１２１１、復号化部１２１２を有する。
【００７３】
図１３は、本実施形態に係る移動局装置のブロック構成の一例を示している。移動局装置は、スケジューリング情報管理部１３０１、受信部（下りリンク受信部）１３０２、送信部（上りリンク送信部）１３０３、アンテナ部（移動局アンテナ部）１３０４を有する。スケジューリング情報管理部１３０１は、下りリンクモニタリング管理部１３０８、上りリンク送信リソース情報管理部１３０９を有する。送信部１３０３は、符号化部１３１０、変調部１３１１、マッピング部１３１２、無線送信部（上りリンク無線送信部）１３１３を有する。
【００７４】
まず、基地局装置内での処理について説明する。スケジューリング部１２０１は、上位層から取得した情報に基づいて、各移動局装置に割り当てる上りリンクの送信リソースを決定すると共に、決定した上りリンクの送信リソースを移動局装置に通知するための下りリンク制御情報を生成する。また、スケジューリング部１２０１は、移動局装置から受信した受信信号からデータを取り出すに際し、決定した上りリンクの送信リソースに基づいて受信信号の分離を制御する。スケジューリング部１２０１内の上りリンク送信リソース情報制御部１２０５は、各移動局装置に割り当てる上りリンクの送信リソースを決定する機能、および決定した上りリンクの送信リソースを記憶する機能を有する。上りリンクの送信リソースの配置は、上記各実施形態で説明したように、連続配置あるいは非連続配置とすることができる。
【００７５】
下りリンク制御チャネル管理部１２０６は、移動局装置に通知するための下りリンク制御情報を生成する機能、および生成した下りリンク制御情報を送信するための物理下りリンク制御チャネルを送信するための下りリンクの送信リソースを決定する機能を有する。下りリンク制御チャネル管理部１２０６は、スケジューリング部１２０１が決定した上りリンクの送信リソースが連続配置の場合は、Ｆｏｒｍａｔ０あるいはＦｏｒｍａｔ０Ａの下りリンク制御情報を生成し、スケジューリング部１２０１が決定した送信リソースが非連続配置の場合は、Ｆｏｒｍａｔ０Ａの下りリンク制御情報を生成する。
【００７６】
また、下りリンク制御チャネル管理部１２０６は、Ｆｏｒｍａｔ０の下りリンク制御情報を生成した場合は、ＣＳＳにおいてＦｏｒｍａｔ０を送信するための下りリンクの送信リソースを決定し、Ｆｏｒｍａｔ０Ａの制御情報を生成した場合は、ＵＳＳにおいてＦｏｒｍａｔ０Ａを送信するための下りリンクの送信リソースを決定する。なお、ＣＳＳとＵＳＳの重複が予想される場合、上りリンク送信リソース情報制御部１２０５は、ＣＳＳとＵＳＳの重複がする検索領域には連続配置の上りリンクの送信リソースを示すＦｏｒｍａｔ０またはＦｏｒｍａｔ０Ａを配置するよう決定することで、移動局装置は上りリンク関連情報をより正確に取得することができる。
【００７７】
送信部１２０２は、下りリンクの送信信号を生成し、送信する。送信部１２０２内の制御チャネルマッピング部１２０７は、スケジューリング部１２０１で生成された下りリンク制御情報を、スケジューリング部１２０１で決定された物理下りリンク制御チャネル内の送信リソースにマッピングする機能を有する。無線送信部１２０８は、マッピングした下りリンク制御情報を含むデジタル信号をアナログ信号に変換し、無線周波数帯にアップコンバートして無線送信信号を生成し、アンテナ部１２０４を介して送信する機能を有する。
【００７８】
受信部１２０３は、上りリンクの受信信号を取得し、上りリンクのデータを抽出する。受信部１２０３内の無線受信部１２０９は、アンテナ部１２０４を介して受信した受信信号をダウンコンバートし、アナログ信号をデジタル信号に変換する機能を有する。デマッピング部１２１０は、スケジューリング部１２０１が決定した上りリンクの送信リソースにおける受信データをデマッピングする機能を有する。復調部１２１１は、変調部１３１１での処理に対応した復調処理を行う機能を有する。復号化部１２１２は、符号化部１３１０での処理に対応した誤り訂正復号化処理を行う機能を有する。
【００７９】
次に、移動局装置内での処理について説明する。スケジューリング情報管理部１３０１は、上位層から取得した情報に基づいて、基地局装置から通知される下りリンク制御情報の検索を制御するとともに、検索領域から取得した受信データを復号し、復号した受信データから自身宛の下りリンク制御情報を検出した場合は、下りリンク制御情報から自装置に割り当てられた上りリンクの送信リソースの割り当てを抽出し、これを記憶する。スケジューリング情報管理部１３０１内の下りリンクモニタリング管理部１３０８は、物理下りリンク制御チャネルを検索する検索領域を設定する機能と、設定した検索領域と下りリンク制御情報に付加されたＣＲＣとＲＮＴＩとを用いて、下りリンク制御情報が自装置宛であるか否か、あるいは下りリンク制御情報フォーマットの種類などを判定する機能を有する。
【００８０】
下りリンクモニタリング管理部１３０８は、設定した検索領域がＣＳＳである場合は検出した下りリンク制御情報フォーマットがＦｏｒｍａｔ０であると判定し、設定した検索領域がＵＳＳである場合は検出した下りリンク制御情報フォーマットがＦｏｒｍａｔ０Ａであると判定する。また、下りリンクモニタリング管理部１３０８は、検出した下りリンク制御情報に付加されたＣＲＣとＲＮＴＩを確認することで、自装置宛の下りリンク制御情報であるかどうか、あるいは下りリンク制御情報の用途を判定する。
【００８１】
上りリンク送信リソース情報管理部１３０９は、下りリンク制御情報が自装置宛である場合、下りリンク制御情報のフォーマットと、下りリンク制御情報に含まれるスケジューリング情報とを用いて、上りリンクの送信リソースを抽出し、これを記憶する機能を有する。上りリンク送信リソース情報管理部１３０９は、下りリンクモニタリング管理部１３０８が判定した下りリンク制御情報フォーマットがＦｏｒｍａｔ０である場合、あるいは判定した下りリンク制御情報フォーマットがＦｏｒｍａｔ０Ａであり、かつ非連続配置フラグが非連続配置のリソース割り当てを示していない場合、所定のビットフィールドから連続配置の上りリンクの送信リソースの割り当てに関する情報を抽出する。また、上りリンク送信リソース情報管理部１３０９は、下りリンクモニタリング管理部１３０８が判定した下りリンク制御情報フォーマットがＦｏｒｍａｔ０Ａであり、かつ非連続配置フラグが非連続配置のリソース割り当てを示している場合、所定のビットフィールドから非連続配置の上りリンクの送信リソースの割り当てに関する情報を抽出する。
【００８２】
受信部１３０２は、下りリンクの受信信号を取得し、下りリンク制御情報を抽出する。受信部１３０２内の無線受信部１３０５は、アンテナ部１３０４を介して受信した受信信号をダウンコンバートし、アナログ信号をデジタル信号に変換する機能を有する。制御チャネルデマッピング部１３０６は、スケジューリング情報管理部１３０１が設定した検索領域における受信データをデマッピングする機能を有する。制御チャネル復調処理部１３０７は、スケジューリング情報管理部１３０１がデマッピングした受信データに対して所定の復調処理を行う機能を有する。
【００８３】
送信部１３０３は、上りリンクの送信信号を生成し、送信する。送信部１３０３内の符号化部１３１０は、上りリンクデータに対して誤り訂正符号化処理を施す機能を有する。変調部１３１１は、誤り訂正符号化された上りリンクデータをデジタル変調して変調シンボル系列を生成する機能を有する。マッピング部１３１２は、スケジューリング情報管理部１３０１で抽出された上りリンクの送信リソースに変調シンボル系列をマッピングする機能を有する。無線送信部１３１３は、マッピングした変調シンボルを含むデジタル信号をアナログ信号に変換し、無線周波数帯にアップコンバートして無線送信信号を生成し、アンテナ部１３０４を介して送信する機能を有する。
【００８４】
このように、本発明の通信システムは、Ｆｏｒｍａｔ０におけるＨｏｐｐｉｎｇ  ｆｌａｇフィールドのビット数とＦｏｒｍａｔ０ＡにおけるＮｏｎ−ｃｏｎｔｉｇｕｏｕｓフィールドのビット数を同じにし、Ｆｏｒｍａｔ０とＦｏｒｍａｔ０Ａとで、Ｒｅｓｏｕｒｃｅ  ｂｌｏｃｋ  ａｓｓｉｇｎｍｅｎｔフィールドおよびその他のフィールドの読み出し位置を同じにする。また、本発明の通信システムは、Ｆｏｒｍａｔ０におけるＨｏｐｐｉｎｇ  ｆｌａｇフィールドが所定のビット値である場合の状態と、Ｆｏｒｍａｔ０ＡにおけるＮｏｎ−ｃｏｎｔｉｇｕｏｕｓフィールドが同じビット値である場合の状態が同じになるように、ビット値と状態の対応を決めておく。また、移動局装置は、ＣＳＳにおいてＦｏｒｍａｔ０またはＵＳＳにおいてＦｏｒｍａｔ０Ａを復号処理する。また、これにより、移動局装置は下りリンク制御情報フォーマットの復号回数を増やすことなくＦｏｒｍａｔ０とＦｏｒｍａｔ０Ａとを監視できる。また、ＣＳＳとＵＳＳが重複する場合であっても、Ｆｏｒｍａｔ０とＦｏｒｍａｔ０Ａとを識別するための他のシグナリングを追加することなく、移動局装置は上りリンク関連情報を正確に取得することができる。
【００８５】
なお、上記の説明では、Ｆｏｒｍａｔ０とＦｏｒｍａｔ０Ａとを用いる場合について説明したが、第２の実施形態と同様にＦｏｒｍａｔ０を用いる場合についても同様の効果を得ることができる。この場合、基地局装置は予め非連続配置のリソース割り当ての設定がアクティブか否かを上位層を介して移動局装置に通知し、スケジューリング情報管理部１３０１内の上りリンク送信リソース情報管理部１３０９は、上位層における設定を参照して、下りリンク制御情報フォーマットに含まれるリソース割り当て情報が連続配置のリソース割り当てであるか非連続配置のリソース割り当てであるかを判定すればよい。
【００８６】
また、上記各実施形態では、物理下りリンク制御チャネルがＣＳＳとＵＳＳの２つの領域から構成される場合について説明したが、これに限るものではない。例えば、ＣＳＳと１つ以上の移動局装置を含むグループに対して固有のＧＳＳ（Ｇｒｏｕｐ―ｓｐｅｃｉｆｉｃ  Ｓｅａｒｃｈ  Ｓｐａｃｅ）とを用いることもできる。あるいは、異なる搬送波上の複数の領域から構成される物理下りリンク制御チャネルにおいて、それぞれ異なる搬送波上の複数の領域に対して本発明を適用することもできる。あるいは、物理下りリンク制御チャネルではない他のチャネルに配置される領域であってもよい。例えば、物理下りリンク共用チャネル内の所定の領域を用いて下りリンク制御情報を通知する場合は、物理下りリンク共用チャネル内の領域に対して本発明を適用することができる。このように、個別に設定可能な複数の領域に対して、基地局装置は異なる下りリンク制御情報フォーマットの制御情報を配置すれば、上記各実施形態において説明した効果と同様の効果を得ることができる。
【００８７】
また、上記各実施形態では、ＣＳＳとＵＳＳがその一部あるいは全部の検索領域が重複した場合の本発明の効果について説明してきたが、移動局装置が監視する下りリンク制御情報フォーマットの種類を変更する場合、移動局装置が監視する下りリンク制御情報フォーマットの各フィールドの意味を変更する場合にも本発明は同様の効果を得ることができる。なお、移動局装置が監視する下りリンク制御情報フォーマットの種類、下りリンク制御情報フォーマットの各フィールドの意味などを変更する処理のことをＲＲＣ  ｒｅｃｏｎｆｉｇｕｒａｔｉｏｎと称す。
【００８８】
移動局装置は、基地局装置から監視する下りリンク制御情報フォーマットの種類、監視する下りリンク制御情報フォーマットの各フィールドの意味を変更する旨を示すメッセージ（ＲＲＣ  ｒｅｃｏｎｆｉｇｕｒａｔｉｏｎ  ｍｅｓｓａｇｅ）を受信したら、監視する下りリンク制御情報フォーマットの種類の変更、監視する下りリンク制御情報フォーマットの各フィールドの意味の変更を完了したことを示すメッセージ（ＲＲＣ  ｒｅｃｏｎｆｉｇｕｒａｔｉｏｎ  ｃｏｍｐｌｅｔｅ  ｍｅｓｓａｇｅ）を基地局装置に送信する。基地局装置は、ＲＲＣ  ｒｅｃｏｎｆｉｇｕｒａｔｉｏｎ  ｍｅｓｓａｇｅを送信してからＲＲＣ  ｒｅｃｏｎｆｉｇｕｒａｔｉｏｎ  ｃｏｍｐｌｅｔｅ  ｍｅｓｓａｇｅを受信するまでの期間（ＲＲＣ  ｒｅｃｏｎｆｉｇｕｒａｔｉｏｎの過渡期と称す）は移動局装置が監視する下りリンク制御情報フォーマットの種類、監視する下りリンク制御情報フォーマットの各フィールドの意味は完全には把握できない。
【００８９】
移動局装置がＵＳＳにおいて監視する下りリンク制御情報フォーマットをＦｏｒｍａｔ０からＦｏｒｍａｔ０Ａに変更する場合や、移動局装置がＵＳＳにおいて監視する下りリンク制御情報フォーマットをＦｏｒｍａｔ０ＡからＦｏｒｍａｔ０に変更する場合や、移動局装置がＵＳＳにおいて監視するＦｏｒｍａｔ０の各フィールド（Ｒｅｓｏｕｒｃｅ  ｂｌｏｃｋ  ａｓｓｉｇｎｍｅｎｔフィールド）の意味を変更する場合に、下りリンク制御情報が示す情報に関して移動局装置と基地局装置間で認識の不一致が起きないようにすることが好ましい。本発明による通信システムは、下りリンク制御情報が示す情報に関して移動局装置と基地局装置間で認識の不一致を回避することができる。これにより、干渉の増加やデータ転送の遅延を防止することができる。
【００９０】
実施形態１において、本発明の通信システムでは、Ｆｏｒｍａｔ０におけるＨｏｐｐｉｎｇ  ｆｌａｇフィールドとＦｏｒｍａｔ０ＡにおけるＮｏｎ−ｃｏｎｔｉｇｕｏｕｓ  ｆｌａｇフィールドとを下りリンク制御情報フォーマット内において相対的に同じ位置に配置し、それぞれのビット値が０である場合の設定を共通にしておく。
【００９１】
これにより、移動局装置が監視する下りリンク制御情報フォーマットのＦｏｒｍａｔ０とＦｏｒｍａｔ０Ａの変更に伴うＲＲＣ  ｒｅｃｏｎｆｉｇｕｒａｔｉｏｎの過渡期において、基地局装置はＦｏｒｍａｔ０におけるＨｏｐｐｉｎｇ  ｆｌａｇフィールドまたはＦｏｒｍａｔ０ＡにおけるＮｏｎ−ｃｏｎｔｉｇｕｏｕｓ  ｆｌａｇフィールドのビット値を０に設定した下りリンク制御情報を移動局装置に送信し、移動局装置検出したＤＣＩ  ｆｏｒｍａｔがＦｏｒｍａｔ０であると認識してもＦｏｒｍａｔ０Ａであると認識しても、Ｆｏｒｍａｔ０におけるＨｏｐｐｉｎｇ  ｆｌａｇフィールドとＦｏｒｍａｔ０ＡにおけるＮｏｎ−ｃｏｎｔｉｇｕｏｕｓ  ｆｌａｇフィールドに相当するフィールドのビット値が０である場合、各下りリンク制御情報フォーマットにおいて設定する状態は、ホッピングがＯＦＦであり、リソース割り当てが連続配置のリソース割り当てであるため、下りリンク制御情報が示す情報に関して移動局装置と基地局装置間で認識の不一致を回避することができる。
【００９２】
実施形態２において、本発明の通信システムでは、予め非連続配置のリソース割り当てがアクティブに設定されておらず、かつＦｏｒｍａｔ０におけるＨｏｐｐｉｎｇ  ｆｌａｇフィールドが所定のビット値（“Ｘ”、例えば“０”）である場合の状態と、予め非連続配置のリソース割り当てがアクティブに設定されており、かつＦｏｒｍａｔ０におけるＮｏｎ−ｃｏｎｔｉｇｕｏｕｓ  ｆｌａｇフィールドが上記所定のビット値と同じビット値（“Ｘ”、例えば“０”）である場合の状態を共通にしておく。
【００９３】
これにより、移動局装置が監視するＦｏｒｍａｔ０の意味の変更（非連続配置のリソース割り当てのアクティブ、または非アクティブの変更）に伴うＲＲＣ  ｒｅｃｏｎｆｉｇｕｒａｔｉｏｎの過渡期において、基地局装置はＦｏｒｍａｔ０におけるＨｏｐｐｉｎｇ  ｆｌａｇを示すフィールドまたはＦｏｒｍａｔ０におけるＮｏｎ−ｃｏｎｔｉｇｕｏｕｓ  ｆｌａｇを示すフィールドのビット値を０に設定した下りリンク制御情報を移動局装置に送信し、移動局装置が非連続配置のリソース割り当てがアクティブではないと認識していても非連続配置のリソース割り当てが非アクティブではないと認識していてもＨｏｐｐｉｎｇ  ｆｌａｇを示すフィールドとＮｏｎ−ｃｏｎｔｉｇｕｏｕｓ  ｆｌａｇを示すフィールドに相当するフィールドのビット値が０である場合、各下りリンク制御情報フォーマットにおいて設定する状態は、ホッピングがＯＦＦであり、リソース割り当てが連続配置のリソース割り当てであるため、下りリンク制御情報が示す情報に関して移動局装置と基地局装置間で認識の不一致を回避することができる。
【００９４】
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９５】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。
【００９６】
また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００９７】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００９８】
本発明は、無線基地局装置や無線移動局装置や無線通信システムや無線通信方法に用いて好適である。
【符号の説明】
【００９９】
１０１…基地局装置
１０２、１０３…移動局装置
１０４、１０５…上りリンク送信信号
１０６、１０７…下りリンク制御情報
１２０１…スケジューリング部
１２０２…送信部
１２０３…受信部
１２０４…アンテナ部
１２０５…上りリンク送信リソース情報制御部
１２０６…下りリンク制御チャネル管理部
１２０７…制御チャネルマッピング部
１２０８…無線送信部
１２０９…無線受信部
１２１０…デマッピング部
１２１１…復調部
１２１２…復号化部
１３０１…スケジューリング情報管理部
１３０２…受信部
１３０３…送信部
１３０４…アンテナ部
１３０５…無線受信部
１３０６…制御チャネルデマッピング部
１３０７…制御チャネル復調処理部
１３０８…上りリンクモニタリング管理部
１３０９…上りリンク送信リソース情報管理部
１３１０…符号化部
１３１１…変調部
１３１２…マッピング部
１３１３…無線送信部
１６０１…基地局装置
１６０２…移動局装置
１６０３…上りリンク送信信号
１６０４…下りリンク制御情報
【図１】
2011166650.tif 000003
【図２】
2011166650.tif 000004
【図３】
2011166650.tif 000005
【図４】
2011166650.tif 000006
【図５】
2011166650.tif 000007
【図６】
2011166650.tif 000008
【図７】
2011166650.tif 000009
【図８】
2011166650.tif 000010
【図９】
2011166650.tif 000011
【図１０】
2011166650.tif 000012
【図１１】
2011166650.tif 000013
【図１２】
2011166650.tif 000014
【図１３】
2011166650.tif 000015
【図１４】
2011166650.tif 000016
【図１５】
2011166650.tif 000017
【図１６】
2011166650.tif 000018
【図１７】
2011166650.tif 000019
【図１８】
2011166650.tif 000020
【図１９】
2011166650.tif 000021